(57)【特許請求の範囲】
【請求項１】
曲率の異なる上部アーチ部材および下部アーチ部材が曲率半径方向に所定の間隔で配設される連棟型ビニルハウスの隣接するビニルハウス間に設けられる梁材にボルトを用いて固定される連棟型ビニルハウスのアーチ受け部材であって、
前記梁材の上面に配置される上部支持部材と、
前記梁材の下面に配置され、前記上部支持部材とともに前記ボルトにより固定される下部支持部材とを含み、
前記上部支持部材は、前記ボルトが貫通する上部貫通孔を備え、前記梁材の上面に固定される上部土台部と、前記上部アーチ部材を支持する上部アーチ支持部であり、前記上部土台部を挟む位置の両側に斜め上方へ向かって延設された上部アーチ支持部とを有するものであり、
前記上部土台部は、前記上部貫通孔の外側に立設され、前記上部貫通孔に挿通されるボルトの頭部の回転を拘束するリブを備えるものであり、
前記下部支持部材は、前記ボルトが貫通する下部貫通孔を備え、前記梁材の下面に固定される下部土台部と、前記下部アーチ部材を支持する下部アーチ支持部であり、前記下部土台部を挟む位置の両側に斜め上方へ向かって延設された下部アーチ支持部と、前記下部アーチ支持部を前記下部土台部から所定の距離だけ離れた位置に支持するアーム部とを有するものである
連棟型ビニルハウスのアーチ受け部材。
【請求項２】
前記上部土台部のリブは、前記上部貫通孔を挟む両側に備えたものである請求項１記載の連棟型ビニルハウスのアーチ受け部材。
【請求項３】
前記上部アーチ支持部と、前記下部アーチ支持部または前記アーム部とを連結する連結部材を有する請求項１または２に記載の連棟型ビニルハウスのアーチ受け部材。
【請求項４】
前記請求項１から３のいずれか１項に記載の連棟型ビニルハウスのアーチ受け部材と、
前記ボルトが貫通する貫通孔を備える前記梁材と
を含む連棟型ビニルハウス。
【発明の詳細な説明】
【技術分野】
【０００１】
本発明は、連棟型ビニルハウスの隣接するビニルハウス間に設けられて、ビニルハウスの屋根部を構成するためのアーチ部材を支持する連棟型ビニルハウスのアーチ受け部材およびこれを用いた連棟型ビニルハウスに関する。
【背景技術】
【０００２】
従来の連棟型ビニルハウスとして、例えば特許文献１には、圃場に複数の支柱を設立し、同支柱の上端に梁材を設け、同梁材の両側面に等間隔に設けた突起にアーチ部材の下端部をそれぞれ嵌合して同アーチ部材を等間隔に支持するとともに、上記梁材の上面に集水樋を設け、かつ上記多数のアーチ部材の上面を透明のシートで被覆して形成したビニルハウスが記載されている。
【０００３】
また、ビニルハウスは、アーチ部材を覆うシートが風を受けやすく、かつ、アーチ部材が細いパイプによって組み立てられ、剛性が低い構造であるため、強風時に大きな変形を生じて倒壊に至る虞がある。これに対して、例えば特許文献２，３には、曲率の異なる２つのアーチパイプを、曲率半径方向に所定の間隙を空けて連結してアーチ部材を形成することによって強度を高めたビニルハウスが記載されている。
【先行技術文献】
【特許文献】
【０００４】
【特許文献１】実開昭６２−２０２１５０号公報
【特許文献２】特開２００７−３００８２６号公報
【特許文献３】特開２０１０−２２２２０号公報
【発明の概要】
【発明が解決しようとする課題】
【０００５】
上記梁材の両側面に等間隔に設けられる突起は、通常、梁材に溶接することによって設けられる。そのため、工数が嵩み、コスト高の要因となっている。また、梁材の両側面に突起が溶接された状態で、工場から出荷されるため、荷姿が大きくなり、運送費も高くなるという問題がある。
【０００６】
また、特許文献１に記載の連棟型ビニルハウスにおいて、特許文献２，３に記載のように曲率の異なる２つのアーチパイプを適用しようとする場合、梁材の両側面にそれぞれアーチパイプを２つずつ所定の間隙を空けて支持しなければならない。そのため、アーチパイプを嵌合する突起は、梁材の両側面からさらに外側に突設された状態となり、荷姿がさらに大きくなってしまう。
【０００７】
そこで、本発明においては、施工が容易であり、かつ運送時に嵩張らない連棟型ビニルハウスのアーチ受け部材およびこれを用いた連棟型ビニルハウスを提供することを目的とする。
【課題を解決するための手段】
【０００８】
本発明の連棟型ビニルハウスのアーチ受け部材は、曲率の異なる上部アーチ部材および下部アーチ部材が曲率半径方向に所定の間隔で配設される連棟型ビニルハウスの隣接するビニルハウス間に設けられる梁材にボルトを用いて固定される連棟型ビニルハウスのアーチ受け部材であって、梁材の上面に配置される上部支持部材と、梁材の下面に配置され、上部支持部材とともにボルトにより固定される下部支持部材とを含み、上部支持部材は、ボルトが貫通する上部貫通孔を備え、梁材の上面に固定される上部土台部と、上部アーチ部材を支持する上部アーチ支持部であり、上部土台部を挟む位置の両側に斜め上方へ向かって延設された上部アーチ支持部とを有するものであり、下部支持部材は、ボルトが貫通する下部貫通孔を備え、梁材の下面に固定される下部土台部と、下部アーチ部材を支持する下部アーチ支持部であり、下部土台部を挟む位置の両側に斜め上方へ向かって延設された下部アーチ支持部と、下部アーチ支持部を下部土台部から所定の距離だけ離れた位置に支持するアーム部とを有するものである。
【０００９】
本発明の連棟型ビニルハウスのアーチ受け部材では、梁材の上面に上部支持部材を、梁材の下面に下部支持部材をそれぞれ配置し、梁材を上部支持部材の上部土台部および下部支持部材の下部土台部により挟み込むようにして上部貫通孔および下部貫通孔を通じてボルトにより固定すると、上部アーチ部材を支持する上部アーチ支持部および下部アーチ部材を支持する下部アーチ支持部が梁材の両側に斜め上方に向かって配置される。このとき、下部アーチ支持部はアーム部によって下部土台部から所定の距離だけ離れた位置に支持されるので、上部土台部を挟む位置の両側に斜め上方へ向かって延設された上部アーチ支持部と、下部土台部を挟む位置の両側に斜め上方へ向かって延設された下部アーチ支持部とが、所定の間隔で配設される。これにより、曲率の異なる上部アーチ部材および下部アーチ部材が曲率半径方向に所定の間隔で配設される。
【００１０】
ここで、上部土台部は、上部貫通孔の外側に立設され、上部貫通孔に挿通されるボルトの頭部の回転を拘束するリブを備えるものであることが望ましい。これにより、上部土台部の上部貫通孔からボルトを挿通して上部支持部材および下部支持部材を梁材に固定する際、上部土台部に備えられたリブによってボルトの頭部の回転が拘束されるので、このボルトに対してナットを一方から締め付けることにより、梁材にアーチ受け部材を容易に固定することができる。なお、梁材には、上部貫通孔および下部貫通孔に挿通するボルトが貫通する貫通孔を備えれば良い。
【００１１】
また、上部土台部のリブは、上部貫通孔を挟む両側に備えたものであることが望ましい。上部土台部のリブは、ボルトの頭部が回転しないように拘束できれば良く、頭部の一面を拘束するものであれば良いが、この上部土台部のリブを上部貫通孔を挟む両側に備えて、ボルトの頭部を挟み込むように拘束することで、より確実にボルトの頭部の回転を防止することが可能となる。
【００１２】
また、上部支持部材および下部支持部材は、中空パイプを曲げ加工することにより形成されたものであり、上部土台部および下部土台部は、中空パイプをプレス加工することにより形成されたものであることが望ましい。これにより、中空パイプから曲げ加工およびプレス加工することによって、本発明のアーチ受け部材を容易に製造することが可能となる。
【発明の効果】
【００１３】
（１）梁材の上面に配置される上部支持部材と、梁材の下面に配置され、上部支持部材とともにボルトにより固定される下部支持部材とを含み、上部支持部材は、ボルトが貫通する上部貫通孔を備え、梁材の上面に固定される上部土台部と、上部アーチ部材を支持する上部アーチ支持部であり、上部土台部を挟む位置の両側に斜め上方へ向かって延設された上部アーチ支持部とを有するものであり、下部支持部材は、ボルトが貫通する下部貫通孔を備え、梁材の下面に固定される下部土台部と、下部アーチ部材を支持する下部アーチ支持部であり、下部土台部を挟む位置の両側に斜め上方へ向かって延設された下部アーチ支持部と、下部アーチ支持部を下部土台部から所定の距離だけ離れた位置に支持するアーム部とを有する構成により、梁材にボルトによってアーチ受け部材を容易に固定することができ、連棟型ビニルハウスを容易に施工することが可能となる。また、梁材には、上部貫通孔および下部貫通孔に挿通するボルトが貫通する貫通孔を備えるだけで良く、アーチ受け部材は上部支持部材と下部支持部材とが別々であるため、運送時に嵩張らず、荷姿が小さくなるため、運送費が安価となる。
【００１４】
（２）上部土台部が、上部貫通孔の外側に立設され、上部貫通孔に挿通されるボルトの頭部の回転を拘束するリブを備えるものであることにより、上部土台部に備えられたリブによってボルトの頭部の回転が拘束されるので、このボルトに対してナットを一方から締め付けることにより、梁材にアーチ受け部材を容易に固定することができ、連棟型ビニルハウスをより容易に施工することが可能となる。
【００１５】
（３）上部土台部のリブが上部貫通孔を挟む両側に備えたものであることにより、より確実にボルトの頭部の回転を防止することが可能となり、施工性が向上する。
【００１６】
（４）上部支持部材および下部支持部材が、中空パイプを曲げ加工することにより形成されたものであり、上部土台部および下部土台部が、中空パイプをプレス加工することにより形成されたものであることにより、中空パイプから曲げ加工およびプレス加工することによって、アーチ受け部材を低コストで製造することが可能となる。
【図面の簡単な説明】
【００１７】
【図１】本発明の実施の形態におけるアーチ受け部材を連棟型ビニルハウスの隣接するビニルハウス間に配設した状態を示す説明図である。
【図２】図１のアーチ受け部材の上部支持部材を示す斜視図である。
【図３】図１のアーチ受け部材の下部支持部材を示す斜視図である。
【図４】図１のアーチ受け部材を梁材上にボルトを用いて固定した状態を示す正面図である。
【図５】図４の平面図である。
【図６】図４のＸ−Ｘ断面図である。
【図７】連棟型ビニルハウスの平面配置図である。
【図８】本発明のアーチ受け部材の別の実施形態を示す正面図である。
【発明を実施するための形態】
【００１８】
図１は本発明の実施の形態におけるアーチ受け部材を連棟型ビニルハウスの隣接するビニルハウス間に配設した状態を示す説明図、図２は図１のアーチ受け部材の上部支持部材を示す斜視図、図３は図１のアーチ受け部材の下部支持部材を示す斜視図、図４は図１のアーチ受け部材を梁材上にボルトを用いて固定した状態を示す正面図、図５は図４の平面図、図６は図４のＸ−Ｘ断面図である。
【００１９】
図１に示すように、本発明の実施の形態におけるアーチ受け部材１は、連棟型ビニルハウスの隣接するビニルハウス間に設けられる梁材Ｂにボルト４を用いて固定され、ビニルハウスの屋根部を構成するための上部アーチ部材Ａ1および下部アーチ部材Ａ2を支持するものである。上部アーチ部材Ａ1および下部アーチ部材Ａ2は曲率が異なり、曲率半径方向に所定の間隔で配設される。梁材Ｂはボルト４が貫通する貫通孔Ｈ（図６参照。）を備えている。梁材Ｂは、所定の間隔（例えば３〜４ｍの間隔）で複数立設された支柱Ｃの上端に設けられている。
【００２０】
アーチ受け部材１は、梁材Ｂの上面に配置される図２に示す上部支持部材２と、梁材Ｂの下面に配置される図３に示す下部支持部材３とから構成される。下部支持部材３は上部支持部材２とともに、ボルト４によって梁材Ｂに共締めされ、固定される。
【００２１】
上部支持部材２は、図２および図４に示すように、梁材Ｂの上面に配置される上部土台部２０と、上部アーチ部材Ａ1を支持する上部アーチ支持部２１とから構成される。上部アーチ支持部２１は、上部土台部２０を挟む位置の両側に斜め上方へ向かって延設されている。上部土台部２０および上部アーチ支持部２１は、スチール製の中空パイプを曲げ加工することにより形成されている。
【００２２】
上部土台部２０は、ボルト４が貫通する上部貫通孔２２と、上部貫通孔２２の外側に立設され、上部貫通孔２２に挿入されるボルト４の頭部４ａの回転を拘束するリブ２３とを備える。リブ２３は、図５に示すように、上部貫通孔２２を挟む両側に備えられている。上部土台部２０は、図６に示すように、中空パイプをリブ２３が形成されるように断面凹状にプレス加工することにより形成されている。なお、本実施形態において使用されるボルト４は六角ボルトであり、リブ２３の間隔はボルト４の二面幅に応じて設定される。
【００２３】
下部支持部材３は、図３および図４に示すように、梁材Ｂの下面に配置される下部土台部３０と、下部アーチ部材Ａ2を支持する下部アーチ支持部３１と、下部土台部３０と下部アーチ支持部３１とを接続するアーム部３２とから構成される。アーム部３２は、下部アーチ支持部３１を下部土台部３０から所定の距離だけ離れた位置に支持する。アーム部３２の長さは、上部アーチ部材Ａ1と下部アーチ部材Ａ2との間隔に応じて設定される。
【００２４】
下部アーチ支持部３１は、下部土台部３０を挟む位置の両側に、アーム部３２の先端からそれぞれ斜め上方へ向かって延設されている。下部土台部３０、下部アーチ支持部３１およびアーム部３２は、スチール製の中空パイプを曲げ加工することにより形成されている。下部土台部３０は、ボルト４が貫通する下部貫通孔３３を備える。下部土台部３０は、中空パイプを部分的にプレス加工することにより形成されている。
【００２５】
また、本実施形態におけるアーチ受け部材１は、上部アーチ支持部２１と下部アーチ支持部３１とを連結する連結部材６を有する。連結部材６は、上部アーチ支持部２１と下部アーチ支持部３１との延設方向が平行となるように、上部アーチ支持部２１と下部アーチ支持部３１とを連結して所定の間隔に保持するものである。なお、連結部材６は、上部アーチ支持部２１とアーム部３２とを連結する構成としても良い。
【００２６】
本実施形態において上部アーチ部材Ａ1および下部アーチ部材Ａ2は、中空パイプからなり、上部アーチ支持部２１および下部アーチ支持部３１は、それぞれ上部アーチ部材Ａ1および下部アーチ部材Ａ2の中空部に差し込み可能な形状となっている。なお、上部アーチ部材Ａ1および下部アーチ部材Ａ2は、それぞれ上部アーチ支持部２１および下部アーチ支持部３１の中空部に差し込む構成としても良い。
【００２７】
上記構成のアーチ受け部材１は、梁材Ｂの上面に上部支持部材２を、梁材Ｂの下面に下部支持部材３をそれぞれ配置し、梁材Ｂを上部支持部材２の上部土台部２０および下部支持部材３の下部土台部３０により挟み込むようにして上部貫通孔２２および下部貫通孔３３にボルト４を挿通して、ナット５を下方から締め付ける。このとき、上部土台部２０に備えられたリブ２３によってボルト４の頭部４ａの回転が拘束されるので、このボルト４に対してナット５を一方から締め付けることが可能であり、梁材Ｂにアーチ受け部材１を容易に固定することができる。
【００２８】
これにより、上部アーチ部材Ａ1を支持する上部アーチ支持部２１および下部アーチ部材Ａ2を支持する下部アーチ支持部３１が梁材Ｂの両側に斜め上方に向かって配置される。このとき、下部アーチ支持部３１はアーム部３２によって下部土台部３０から所定の距離だけ離れた位置に支持されるので、上部土台部２０を挟む位置の両側に斜め上方へ向かって延設された上部アーチ支持部２１と、下部土台部３０を挟む位置の両側に斜め上方へ向かって延設された下部アーチ支持部３１とが、所定の間隔で平行に配設される。
【００２９】
そして、これらの上部アーチ支持部２１および下部アーチ支持部３１に対し、それぞれ曲率の異なる上部アーチ部材Ａ1および下部アーチ部材Ａ2を差し込むことで、上部アーチ部材Ａ1および下部アーチ部材Ａ2が曲率半径方向に所定の間隔で配設された連棟型ビニルハウスを容易に施工することが可能となる。
【００３０】
また、上記構成のアーチ受け部材１では、梁材Ｂには、アーチ受け部材１の上部貫通孔２２および下部貫通孔３３に挿通するボルト４が貫通する貫通孔Ｈを備えるだけで良く、アーチ受け部材１は上部支持部材２および下部支持部材３とが別々であるため、運送時に嵩張らない。したがって、梁材Ｂおよびアーチ受け部材１の荷姿が小さくなり、運送費が安価である。
【００３１】
なお、図７に示すように、連棟型ビニルハウスＤは、土地Ｌを最大限に有効活用するため、土地Ｌの形状に合わせて設置することがある。このとき、本実施形態におけるアーチ受け部材１では、ボルト４の回転軸周りに自在に回転させることが可能であるため、図７に示すように梁材Ｂに対して直角だけでなく、斜めに配設することが可能であり、連棟型ビニルハウスＤを土地Ｌの形状に容易に合わせて設置することが可能である。また、梁材Ｂの貫通孔Ｈは設置現場で開けることが可能であるため、アーチ受け部材１の間隔も設置現場に応じて自在に設定することが可能である。
【００３２】
また、本実施形態におけるアーチ受け部材１では、上部土台部２０のリブ２３が上部貫通孔２２を挟む両側に備えられているので、ボルト４の頭部４ａが挟み込むように拘束されている。そのため、確実にボルト４の頭部４ａの回転が防止され、施工性が向上している。なお、リブ２３はボルト４の頭部４ａが回転しないように拘束できれば良く、ボルト４の頭部４ａの一面を拘束する構成とすることも可能である。
【００３３】
また、本実施形態におけるアーチ受け部材１では、上部支持部材２および下部支持部材３が、中空パイプを曲げ加工することにより形成されたものであるため、上部土台部２０および下部土台部３０が、中空パイプをリブ１１が形成されるようにプレス加工することにより形成されたものであるため、低コストで製造することが可能である。
【００３４】
次に、本発明のアーチ受け部材の別の実施形態について説明する。図８は本発明のアーチ受け部材の別の実施形態を示す正面図である。
【００３５】
図８に示すように、アーチ受け部材７は、前述のアーチ受け部材１の下部支持部材３に代えて、下部土台部８０が中空パイプの下側を上側に向かって潰すことにより形成された下部支持部材８としたものである。このような下部土台部８０とすることで、前述の下部支持部材３のアーム部３２よりも短いアーム部８２により、上部アーチ支持部２１と下部アーチ支持部８１との間隔を確保することが可能となる。
【００３６】
また、図８に示すアーチ受け部材７では、上部アーチ支持部２１と下部アーチ支持部８１とを連結する連結部材６（図１参照。）を備えていない。図８に示す例では、この連結部材６に代えて、上部アーチ部材Ａ1と上部アーチ部材Ａ2とを連結する連結部材９を備えている。
【００３７】
上記構成のアーチ受け部材７であっても、前述のアーチ受け部材１と同様に、上部アーチ支持部２１および下部アーチ支持部８１に対し、それぞれ曲率の異なる上部アーチ部材Ａ1および下部アーチ部材Ａ2を差し込むことで、上部アーチ部材Ａ1および下部アーチ部材Ａ2が曲率半径方向に所定の間隔で配設された連棟型ビニルハウスを容易に施工することが可能となる。
【産業上の利用可能性】
【００３８】
本発明の連棟型ビニルハウスのアーチ受け部材は、連棟型ビニルハウスの隣接するビニルハウス間に設けられて、ビニルハウスの屋根部を構成するためのアーチ部材を支持する部材として有用である。
【符号の説明】
【００３９】
１，７  アーチ受け部材
２  上部支持部材
３，８  下部支持部材
４  ボルト
４ａ  頭部
５  ナット
６，９  連結部材
２０  上部土台部
２１  上部アーチ支持部
２２  上部貫通孔
２３  リブ
３０，８０  下部土台部
３１，８１  下部アーチ支持部
３２，８２  アーム部
【図１】
0005902233.tif 000002
【図２】
0005902233.tif 000003
【図３】
0005902233.tif 000004
【図４】
0005902233.tif 000005
【図５】
0005902233.tif 000006
【図６】
0005902233.tif 000007
【図７】
0005902233.tif 000008
【図８】
0005902233.tif 000009